(57)【要約】  本発明の単位用量パッケージ挿入物はボトムパネル及びトップパネルとからなる板紙ブランクを備える。ボトムパネルはミシン目により輪郭が描かれた１つ以上の弱化領域を備え、さらに、弱化領域から離間して配置された少なくとも第１及び第２端部を備えた電気トレースエレメントを備え、弱化領域が損なわれた場合に電気トレースエレメントが弱化領域を破壊するように、電気トレースエレメントが１つ以上の弱化領域と交差する。トップパネルは１つ以上の単位用量切り離し領域及び電子固定ハブ部品切り離し領域を備える。ボトムパネルの頂上に位置決め可能な１つ以上の密封単位用量からなるブリスターパックも備え、単位用量切り離し領域上に実質的に単位用量が配置される。取り外し可能で再利用可能な電子部品を機械的に収容するよう適合された電子固定ハブ部品も備え、電子固定ハブ部品が電気トレースエレメント端部の終端に近接して位置決めされる。【選択図】図１
2011514294.tif 000002
【特許請求の範囲】
【請求項１】
ボトムパネルと、トップパネルと、ブリスターパックと、電気トレースエレメントとを備え、
上記ボトムパネルは、少なくとも一つのパネルの弱化領域を備え、上記トップパネルは、少なくとも一つの単位用量切り離し領域を備え、上記トップパネル及びボトムパネルの一つは、そこの形成された電子受容切り離し領域を有し、上記電子受容切り離し領域は、電子部品を機械的に収容するよう適合され、
上記ブリスターパックは、少なくとも一つの密閉された医薬品の用量を含み、上記ブリスターパックは、各医薬品の用量がそれに関する各弱化領域を有するようにボトムパネルの頂部に位置決めされ、
上記電気トレースエレメントは、少なくとも一つの弱化領域から離間して配置された少なくとも第１及び第２端部を有し、上記電気トレースエレメントは、医薬品の所定の用量が送り出された場合、医薬品の所定の用量に対応する上記電気トレースエレメントの弱化領域が破壊されるよう、少なくとも一つの弱化領域に対して位置決めされ、上記電子受容切り離し領域は、電気トレースエレメントの少なくと第１及び第２端部に近接し、
上記トップパネルは、トップパネルとボトムパネルとの間にブリスターパックを固定するように、実質的にボトムパネルを覆い、ボトムパネルに貼着され、密閉された用量が電気トレースエレメントの単位用量切り離し領域を通して突き出し、少なくとも第１及び第２端部が電子受容切り離し領域を通して露出されることを特徴とする単位用量パッケージ。
【請求項２】
前記ブリスターパックは非導電性基材をさらに備え、前記電気トレースエレメントは上記非導電性基材上に直接配置されることを特徴とする請求項１に記載の単位用量パッケージ。
【請求項３】
前記電気トレースエレメントはトレースエレメントキャリア上に配置され、上記トレースエレメントキャリアは前記ボトムパネルと前記ブリスターパックとの間に配置されることを特徴とする請求項１に記載の単位用量パッケージ。
【請求項４】
前記トレースエレメントキャリアは粘着性部材であり、上記粘着性部材は少なくとも上記ボトムパネルと前記ブリスターパックとの間に取り付けられることを特徴とする請求項３に記載の単位用量パッケージ。
【請求項５】
前記電気トレースエレメントは前記ボトムパネル上に配置されることを特徴とする請求項１に記載の単位用量パッケージ。
【請求項６】
前記電気トレースエレメントの前記少なくとも第１及び第２端部は前記トップパネル及びボトムパネルの一つに連携し、前記電子受容切り離し領域は前記トップパネル及びボトムパネルの他方内に形成されることを特徴とする請求項１に記載の単位用量パッケージ。
【請求項７】
前記トップパネル及びボトムパネルの少なくとも一つは第１機械的整列機構を備え、前記電子部品は第２機械的整列機構を備え、上記第１機械的整列機構は上記第２機械的整列機構への整列的連結に適した形態であることを特徴とする請求項１に記載の単位用量パッケージ。
【請求項８】
前記第１機械的整列機構はスロット及び接合突出部のいずれかを備え、前記第２機械的整列機構はスロット及び接合突出部の他方を備えることを特徴とする請求項７に記載の単位用量パッケージ。
【請求項９】
前記第１機械的整列機構及び前記第２機械的整列機構は協働して音をたてて嵌合する形態であることを特徴とする請求項７に記載の単位用量パッケージ。
【請求項１０】
前記トップパネル及びボトムパネルは互いに分離又は一体的であることを特徴とする請求項１に記載の単位用量パッケージ。
【請求項１１】
前記単位用量パッケージは挿入物又は無類なユニットであることを特徴とする請求項１に記載の単位用量パッケージ。
【請求項１２】
前記単位用量パッケージは挿入物であり、上記挿入物はスリーブ内への摺動挿入に適した形態であることを特徴とする請求項１１に記載の単位用量パッケージ。
【請求項１３】
パネルと、ブリスターパックと、電気トレースエレメントとを備え、
上記パネルは、そこに形成された少なくとも一つのパネルの弱化領域を備え、
上記ブリスターパックは、少なくとも一つの医薬品の用量を含み、上記ブリスターパックは、各医薬品の用量がそれに関する各弱化領域を有するようにパネルに対して位置決めされ、
上記電気トレースエレメントは、少なくとも一つのパネル及びブリスターパックに連携され、上記電気トレースエレメントは、弱化領域から離間して配置された少なくとも第１及び第２端部を有し、上記電気トレースエレメントは、医薬品の所定の用量が送り出された場合、医薬品の所定の用量に対応する上記電気トレースエレメントの弱化領域が破壊されるよう、少なくとも一つの弱化領域に対して位置決めされ、
上記パネルは、電子部品を機械的に収容するよう適合された収容領域を備え、上記収容領域は、上記電気トレースエレメントの少なくと第１及び第２端部に近接して位置決めされることを特徴とする医薬品を保持する単位用量パッケージ。
【請求項１４】
前記ブリスターパックは非導電性基材をさらに備え、前記電気トレースエレメントは上記非導電性基材上に直接配置されることを特徴とする請求項１３に記載の単位用量パッケージ。
【請求項１５】
前記電気トレースエレメントはトレースエレメントキャリア上に配置され、上記トレースエレメントキャリアは前記ボトムパネルと前記ブリスターパックとの間に配置されることを特徴とする請求項１３に記載の単位用量パッケージ。
【請求項１６】
前記トレースエレメントキャリアは粘着性部材であり、上記粘着性部材は少なくとも前記ボトムパネルと前記ブリスターパックとの間に取り付けられることを特徴とする請求項１５に記載の単位用量パッケージ。
【請求項１７】
前記電気トレースエレメントは前記ボトムパネル上に配置されることを特徴とする請求項１３に記載の単位用量パッケージ。
【請求項１８】
前記受領領域は前記ボトムパネル内に形成されることを特徴とする請求項１３に記載の単位用量パッケージ。
【請求項１９】
前記トップパネル及びボトムパネルの少なくとも一つは第１機械的整列機構を備え、前記電子部品は第２機械的整列機構を備え、上記第１機械的整列機構は上記第２機械的整列機構への整列的連結に適した形態であることを特徴とする請求項１３に記載の単位用量パッケージ。
【請求項２０】
前記第１機械的整列機構はスロット及び接合突出部のいずれかを備え、前記第２機械的整列機構はスロット及び接合突出部の他方を備えることを特徴とする請求項１９に記載の単位用量パッケージ。
【請求項２１】
前記第１機械的整列機構及び前記第２機械的整列機構は協働して音をたてて嵌合する形態であることを特徴とする請求項１９に記載の単位用量パッケージ。
【請求項２２】
前記単位用量パッケージは挿入物又は無類なユニットであることを特徴とする請求項１３に記載の単位用量パッケージ。
【請求項２３】
前記単位用量パッケージは挿入物であり、上記挿入物はスリーブ内への摺動挿入に適した形態であることを特徴とする請求項２２に記載の単位用量パッケージ。
【請求項２４】
前記単位用量パッケージはワーレットカードの形状の無類なユニットであることを特徴とする請求項２２に記載の単位用量パッケージ。
【請求項２５】
医薬品を保持する単位用量パッケージと、電子部品とを備え、
上記パッケージは、パネルと、ブリスターパックと、電気トレースエレメントとを備え、
上記パネルは、そこに形成された少なくとも一つのパネルの弱化領域を備え、さらにそこに収容領域を定義し、
上記ブリスターパックは、少なくとも一つの医薬品の用量を含み、上記ブリスターパックは、各医薬品の用量がそれに関する各弱化領域を有するようにパネルに対して位置決めされ、
上記電気トレースエレメントは、少なくとも一つのパネル及びブリスターパックに連携され、上記電気トレースエレメントは、弱化領域から離間して配置された少なくとも第１及び第２端部を有し、上記電気トレースエレメントは、医薬品の所定の用量が送り出された場合、医薬品の所定の用量に対応する上記電気トレースエレメントの弱化領域が破壊されるよう、少なくとも一つの弱化領域に対して位置決めされ、上記収容領域は、上記電気トレースエレメントの少なくと第１及び第２端部に近接して位置決めされ、
上記電子部品は、上記パネルの収容領域に機械的に収容され、上記電子部品は、上記電気トレースエレメントの少なくと第１及び第２端部に解除可能で電気的に取り付けられることを特徴とする単位用量パッケージシステム。
【請求項２６】
前記電子部品は摺動クリップ機構を介して解除可能に取り付けられることを特徴とする請求項２５に記載の単位用量パッケージシステム。
【請求項２７】
前記パネルは第１機械的整列機構を備え、前記電子部品は第２機械的整列機構を備え、上記第１機械的整列機構は上記第２機械的整列機構への整列的連結することを特徴とする請求項２５に記載の単位用量パッケージシステム。
【請求項２８】
前記第１機械的整列機構はスロット及び接合突出部のいずれかを備え、前記第２機械的整列機構はスロット及び接合突出部の他方を備えることを特徴とする請求項２７に記載の単位用量パッケージシステム。
【請求項２９】
前記第１機械的整列機構及び前記第２機械的整列機構は協働して音をたてて嵌合する形態であることを特徴とする請求項２７に記載の単位用量パッケージシステム。
【請求項３０】
摺動カードと、ブリスターパックと、電気トレースエレメントと、スリーブとを備え、
上記摺動カードは、そこに形成された少なくとも一つの弱化領域を備え、上記摺動カードは、電子部品を機械的に収容するよう適合された収容領域を備え、
上記ブリスターパックは、少なくとも一つの医薬品の用量を含み、上記ブリスターパックは、各医薬品の用量がそれに関する各弱化領域を有するように摺動カードに対して位置決めされ、
上記電気トレースエレメントは、少なくとも一つの摺動カード及びブリスターパックに連携され、上記電気トレースエレメントは、弱化領域から離間して配置された少なくとも第１及び第２端部を有し、上記電気トレースエレメントは、医薬品の所定の用量が送り出された場合、医薬品の所定の用量に対応する上記電気トレースエレメントの弱化領域が破壊されるよう、少なくとも一つの弱化領域に対して位置決めされ、上記収容領域は、上記電気トレースエレメントの少なくと第１及び第２端部に近接して位置決めされ、
上記スリーブは、上記摺動カードを収容することを特徴とする医薬品を保持する単位用量パッケージ。
【請求項３１】
前記摺動カードはさらにロック機構を備え、前記スリーブはさらに逆ロック機構を備え、上記ロック機構及び逆ロック機構はスリーブ内でカードをロックするために協働することを特徴とする請求項３０に記載の単位用量パッケージ。
【請求項３２】
前記スリーブは上記逆ロック機構に近接して配置される解除手段をさらに備え、上記解除手段は作動の際に上記摺動カードを上記スリーブの本質的に外側に移動させることを特徴とする請求項３１に記載の単位用量パッケージ。
【請求項３３】
前記パッケージはいたずら防止機能を有することを特徴とする請求項３０に記載の単位用量パッケージ。
【請求項３４】
さらに電子部品を備え、上記電子部品は前記摺動カードの収容領域に機械的に収容され、上記電子部品は上記電気トレースエレメントの少なくと第１及び第２端部に解除可能に取り付けられることを特徴とする請求項３０に記載の単位用量パッケージ。
【請求項３５】
ブランクと、ブリスターパックと、電子固定ハブ部品とを備え、
上記ブランクは、ボトムパネルと、トップパネルとを備え、
上記ボトムパネルは、一つ以上の弱化領域、及び、上記一つ以上の弱化領域から離間して配置された少なくとも第１及び第２端部を有する電気トレースエレメントを備え、上記電気トレースエレメントは、弱化領域が損なわれた場合、上記電気トレースエレメントの弱化領域が破壊されるよう、一つ以上の弱化領域を交差し、
上記トップパネルは、一つ以上の単位用量切り離し領域及び電子固定ハブ部品切り離し領域を備え、
上記ブリスターパックは、上記ボトムパネルの頂部に位置決め可能な一つ以上の密閉された用量を含み、
上記電子固定ハブ部品は、電子部品を機械的に収容するよう適合され、上記電子固定ハブ部品は、上記電気トレースエレメントの少なくと第１及び第２端部に接近し、
上記トップパネルは、トップパネルとボトムパネルとの間にブリスターパック及び電子固ハブ部品を固定するように、実質的にボトムパネルを覆い、ボトムパネルに貼着され、密閉された用量が電気トレースエレメントの単位用量切り離し領域を通して突き出し、上記電子固定ハブ部品が電子固定ハブ部品切り離し領域を通して突き出すことを特徴とする単位用量パッケージ挿入物。
【請求項３６】
前記ブランクは前記トップパネルとボトムパネルとの間の境界を定義する折り目を備え、上記折り目に沿ったブランクの折り畳みは、トップパネルの切り離し領域をボトムパネルの弱化領域と整列させてボトムパネルを実質的に覆うようにトップパネルを位置決めすることを特徴とする請求項３５に記載の単位用量パッケージ挿入物。
【請求項３７】
前記ブランクは一対の折り目を備え、上記一対の折り目の間の空間は前記単位用量パッケージ挿入物が上記折り目に沿って自分自身上に折りたたまれた際のエンドパネルを定義し、上記エンドパネルにより上部及び下部が形成されることを特徴とする請求項３５に記載の単位用量パッケージ挿入物。
【請求項３８】
前記単位用量パッケージ挿入物が自分自身上に折りたたまれた場合に、前記上部に取り付けられ、前記電子固定ハブ部品に近接して位置決めされる突出エレメントをさらに備え、前記下部に対して上記上部を摺動する上記電子固定ハブ部品によって上記突出エレメントが妨害されることを特徴とする請求項３７に記載の単位用量パッケージ挿入物。
【請求項３９】
前記ブランクは板紙からなることを特徴とする請求項３８に記載の単位用量パッケージ挿入物。
【請求項４０】
前記電子固定ハブ部品は、それに関するベースをそれぞれ有する一対の第１及び第２対向壁を備えたハウジングを備え、
上記一対の第１対向壁のうちの一方の壁は、前記電子部品に取り付けられたタブを収容するよう適合された壁のベースに少なくとも一つの開口を備え、上記一対の第１対向壁のうちの他方の壁は、上記電子固定ハブ部品内への上記電子部品の挿入及び取り外しを容易にする切り離し領域を備え、
上記一対の第２対向壁のうちの一方の壁は、電子部品に取り付けられた逆戻り止めを収容するよう適合された戻り止めを備え、上記戻り止め及び逆戻り止めを整列することによって上記電子部品の位置が固定されることを特徴とする請求項３５に記載の単位用量パッケージ挿入物。
【請求項４１】
前記電子固定ハブ部品は、各サイド部材の実質的に長さ方向に延在するありつぎスロットを含む一対の対向された強固なサイド部材と、
前記電気トレースエレメント端部に電気的に連結された１つ以上の電気的接点を含む強硬なクロス部材とを備え、
対応するありつぎスロットを有する電子部品が前記電子固定ハブ部品に摺動可能に固定されることを特徴とする請求項３５に記載の単位用量パッケージ挿入物。
【請求項４２】
単位用量の送り出しに関するデータを収集及び普及するために取り替え可能な単位用量パッケージと情報交換するように適合された再利用可能な電子部品であって、
固定機構と、マイクロコントローラーと、電気トレース接点境界とを備え、
上記固定機構は、電子固定ハブ部品に嵌合するように適合され、上記固定機構は、電子部品に損傷を与えることなく、上記電子固定ハブ部品から電子部品を取り外すことができ、
上記電気トレース接点界面は、上記マイクロコントローラーに連結され、上記電気トレース接点界面は、上記取り替え可能な単位用量パッケージ上に存在する電気トレースから信号を上記電子部品が受信し得るように、上記固定機構に対して位置決めされ、
上記マイクロコントローラーは、単位用量が上記取り替え可能な単位用量パッケージから送り出された際の信号に基づいて検出するようプログラムされることを特徴とする再利用可能な電子部品。
【請求項４３】
データ表示用ディスプレイをさらに備えることを特徴とする請求項４２に記載の再利用可能な電子部品。
【請求項４４】
視覚的状態を表示するためのインジケーターライトをさらに備えることを特徴とする請求項４２に記載の再利用可能な電子部品。
【請求項４５】
聴覚的状態を表示するためのスピーカーをさらに備えることを特徴とする請求項４２に記載の再利用可能な電子部品。
【請求項４６】
前記電子部品の内部電源を再充電するためのパワージャックをさらに備えることを特徴とする請求項４２に記載の再利用可能な電子部品。
【請求項４７】
有線データ出力機構を提供するためのデータポートをさらに備えることを特徴とする請求項４２に記載の再利用可能な電子部品。
【請求項４８】
トップパネルと、ボトムパネルとを備え、上記トップパネル及びボトムパネルが、ブリスターパック及び電子固定ハブ部品を収容するのに必要な１つ以上の折り目、切り離し及びミシン目を備えたブランクを形成する工程と、
各単位用量がそれに関する電気トレースの部分を有することを確実とするように、所望のパターンの電気的トレースを上記ブランクに塗工する工程と、
各単位用量が実質的にミシン目領域上になるように、上記ブランクの上記ボトムパネルに上記ブリスターパックを取り付ける工程と、
電気トレース終端が上記電子固定ハブ部品内の対応電気トレース接点に連結されるように、上記ボトムパネルに電子固定ハブ部品を取り付ける工程と、
上記トップパネルを上記ボトムパネルに密着させ、上記単位用量パッケージ挿入物の上記トップパネルと上記ボトムパネルとの間で上記ブリスターパック及び上記電子固定ハブ部品を堅固及びに固定的に確保する工程とを備えることを特徴とする単位用量パッケージ挿入物の組立方法。
【請求項４９】
前記ボトムパネルに取り付ける突出エレメントを貼着する工程をさらに備えることを特徴とする請求項４８に記載の単位用量パッケージ挿入物の組立方法。
【請求項５０】
前記電気トレースは、前記ブランクに印刷された導電性インクからなることを特徴とする請求項４８に記載の単位用量パッケージ挿入物の組立方法。
【請求項５１】
摺動カード挿入物と、ブリスターパックと、電子固定ハブ部品と、再利用可能な電子部品と、突出エレメントと、いたずら防止アウタースリーブとを備え、
上記摺動カードは、ボトムパネル及びトップパネルを備えたブランクからなり、
上記ボトムパネルは、一つ以上の弱化領域、及び、上記一つ以上の弱化領域から離間して配置された少なくとも第１及び第２端部を有する電気トレースエレメントを備え、上記電気トレースエレメントは、弱化領域が損なわれた場合に、上記電気トレースエレメントの弱化領域が破壊されるよう、一つ以上の弱化領域を交差し、
上記トップパネルは、一つ以上の単位用量切り離し領域及び電子固定ハブ部品切り離し領域を備え、
上記ブリスターパックは、上記ボトムパネルの頂部に位置決め可能な一つ以上の密閉された単位用量を備え、
上記トップパネルは、実質的に上記ボトムパネルを覆い、上記ボトムパネルに貼着され、上記トップパネルと上記ボトムパネルとの間で１つ以上のブリスターパック及び電子固定ハブ部品を固定し、上記密着された単位用量が上記単位用量切り離し領域から突き出し、上記電子固定ハブ部品が上記電子固定ハブ部品切り離し領域から突き出し、
上記電子固定ハブ部品は、取り外し可能で再利用可能な電子部品を機械的に収容するよう適合され、上記電子固定ハブ部品は、上記電気トレースエレメントの終端を露出し、
上記再利用可能な電子部品は、各単位用量と上記再利用可能な電子部品との間で電気回路を完成するために、上記電子固定ハブ部品に機械的及び電気的に連結され、
上記突出エレメントは、上記摺動カード挿入物が自分自身上に折りたたまれ、上部及び下部を形成する場合に、上記電子固定ハブ部品に近接して位置決めされ、上記突出エレメントは、上記下部に対して上記上部を摺動する上記電子固定ハブ部品によって妨害され、
上記いたずら防止アウタースリーブは、上記摺動カード挿入物を収容するよう適合され、上記摺動カード挿入物が上記いたずら防止アウタースリーブ内にロック可能で摺動可能に係合されることを特徴とする単位用量パッケージシステム。
【請求項５２】
摺動カードと、電気トレースエレメントと、電子固定ハブ部品とを備え、
上記摺動カードは、そこに形成された少なくとも一つの弱化領域を備え、
上記電気トレースエレメントは、弱化領域から離間して配置された少なくとも第１及び第２端部を有し、上記電気トレースエレメントは、弱化領域が損なわれた場合に、上記電気トレースエレメントの弱化領域が破壊されるよう、弱化領域を交差し、
上記電子固定ハブ部品は、電子部品を機械的に収容するよう適合され、上記電子固定ハブ部品は、上記電気トレースエレメントの少なくと第１及び第２端部に接近することを特徴とする医薬品を保持する単位用量パッケージ挿入物。
【請求項５３】
前記摺動カードが自分自身上に折りたたまれ、上部及び下部を形成する場合に、前記電子固定ハブ部品に近接して位置決めされる突出エレメントをさらに備え、前記下部に対して上記上部を摺動する上記電子固定ハブ部品によって上記突出エレメントが妨害されることを特徴とする請求項５２に記載の単位用量パッケージ挿入物。
【請求項５４】
前記電子固定ハブ部品は、さらに損傷を生じることなく前記電子部品を解放するよう適合されることを特徴とする請求項５２に記載の単位用量パッケージ挿入物。
【請求項５５】
電子部品をさらに備え、上記電子部品は前記電子固定ハブ部品に取り外し可能に取り付けられ、上記電子部品は前記電気トレースエレメントの前記少なくとも第１及び第２端部に電気的に接触することを特徴とする請求項５２に記載の単位用量パッケージ挿入物。
【請求項５６】
医薬品を保持するブリスターパックをさらに備えることを特徴とする請求項５２に記載の単位用量パッケージ挿入物。
【請求項５７】
医薬品の単位用量を保持するブリスターパックをさらに備え、上記ブリスターパックは、上記医薬品の単位用量が前記少なくとも一つの弱化領域と整列するように、一般に摺動カードを整列させることを特徴とする請求項５２に記載の単位用量パッケージ挿入物。
【請求項５８】
前記電子部品は、前記医薬品の単位用量が前記弱化領域を通して送り出される際に検出するようプログラムされることを特徴とする請求項５５に記載の単位用量パッケージ挿入物。
【請求項５９】
前記電子部品は、前記医薬品の単位用量が前記弱化領域を通して送り出される際に情報交換するようさらにプログラムされることを特徴とする請求項５５に記載の単位用量パッケージ挿入物。
【請求項６０】
前記摺動カードは板紙からなることを特徴とする請求項５２に記載の単位用量パッケージ挿入物。
【請求項６１】
摺動カードと、電気トレースエレメントと、電子固定ハブ部品と、スリーブとを備え、
上記摺動カードは、そこに形成された少なくとも一つの弱化領域を備え、
上記電気トレースエレメントは、弱化領域から離間して配置された少なくとも第１及び第２端部を有し、上記電気トレースエレメントは、弱化領域が損なわれた場合に、上記電気トレースエレメントの弱化領域が破壊されるよう、弱化領域を交差し、
上記電子固定ハブ部品は、電子部品を機械的に収容するよう適合され、上記電子固定ハブ部品は、上記電気トレースエレメントの少なくと第１及び第２端部に接近し、
上記スリーブは、上記摺動カードを収容することを特徴とする医薬品を保持する単位用量パッケージ。
【請求項６２】
前記摺動カードはさらにロック機構を備え、前記スリーブはさらに逆ロック機構を備え、上記ロック機構及び逆ロック機構はスリーブ内でカードをロックするために協働することを特徴とする請求項６１に記載の単位用量パッケージ。
【請求項６３】
前記スリーブは上記逆ロック機構に近接して配置される解除手段をさらに備え、上記解除手段は作動の際に上記摺動カードを上記スリーブの本質的に外側に移動させることを特徴とする請求項６２に記載の単位用量パッケージ。
【請求項６４】
前記パッケージはいたずら防止機能を有することを特徴とする請求項６１に記載の単位用量パッケージ。
【請求項６５】
さらに電子部品を備え、上記電子部品は前記電子固定ハブ部品に取り外し可能に取り付けられ、上記電子部品は前記電気トレースエレメントの少なくと第１及び第２端部に電気的に接触することを特徴とする請求項６１に記載の単位用量パッケージ。
【請求項６６】
前記摺動カードが自分自身上に折りたたまれ、上部及び下部を形成する場合に、前記電子固定ハブ部品に近接して位置決めされる突出エレメントをさらに備え、前記下部に対して上記上部を摺動する上記電子固定ハブ部品によって上記突出エレメントが妨害されることを特徴とする請求項６１に記載の単位用量パッケージ。
【請求項６７】
前記電子固定ハブ部品に取り付けられたダミー電子部品をさらに備えることを特徴とする請求項６１に記載の単位用量パッケージ。
【請求項６８】
前記電子固定ハブ部品は、さらに損傷を生じることなく前記電子部品を解放するよう適合されることを特徴とする請求項６１に記載の単位用量パッケージ。
【発明の詳細な説明】
【背景技術】
【０００１】
単位用量パッケージは、従来から投薬の工程が完成するまでの数回の開閉に耐え得る程度に充分に丈夫であることから、医薬品用途にとって魅力的なパッケージフォーマットであり、定められた予定にしたがってユーザーが消費量をトレースすることもできる。このようなパッケージの例示としては、一般に本願に引用された特許文献１に記載されている。
【０００２】
特許文献１の特許は、アウター板紙スリーブ、スリーブ内にロック可能に保持されるインナー板紙摺動カードを備える単位用量板紙パッケージに関するものである。このスリーブは互いに操作的に連結された複数のサイドパネルを備え、複数のサイドパネルの一つは第１インナー摺動カード解除手段を備え、他のサイドパネルは第２インナー摺動カード解除手段を備え、インナー摺動カード保持及び解除手段は単位用量投与手段に実質的に隣接して配置される。
【０００３】
特許文献１に記載及び請求された改良は他の特許文献２に含まれている。この特許においては、パッケージは意図しない開口に入らないようにされ、構造的安定性が改善される。いたずら防止は特に医薬品パッケージに要求される態様であり、１９７０年の毒物予防包装法により規定されている。
【０００４】
いたずら防止に加えて、単位用量パッケージシステムは最小の操作でパッケージ内容物を容易に取り出すのに有用であることが好ましい。患者の手先の器用さ又は強さが低下した場合においても、このような取り出し手段は容易に用いることができる。
【０００５】
上述の特許は、視覚的にパッケージを検査することにより、ユーザーが投薬（例えばピル）の消費量をトレースすることができる。しかしながら、投薬に関することを自動的にトレース及び転送する再利用可能な電子部品がパッケージ取り外し可能に統合された場合には、投薬量の消費に関するあまりにも多くのデータが得られる。
【０００６】
本発明の一実施形態としては、単位用量板紙パッケージ挿入物が挙げられる。この単位用量パッケージ挿入物はボトムパネル及びトップパネルとからなる板紙ブランクを備える。ボトムパネルはミシン目により輪郭が描かれた１つ以上の弱化領域を備える。さらに、ボトムパネルは弱化領域から離間して配置された少なくとも第１及び第２端部を備えた電気トレースエレメントを備え、弱化領域が損なわれた場合には電気トレースエレメントが弱化領域を破壊するように、電気トレースエレメントが１つ以上の弱化領域と交差する。トップパネルは１つ以上の単位用量切り離し領域及び電子固定ハブ部品切り離し領域を備える。単位用量パッケージ挿入物はボトムパネルの頂上に位置決め可能な１つ以上の密封単位用量からなるブリスターパックも備え、単位用量切り離し領域上に実質的に単位用量が配置される。取り外し可能で再利用可能な電子部品を機械的に収容するよう適合された電子固定ハブ部品も備え、電子固定ハブ部品が電気トレースエレメント端部の終端に近接して位置決めされる。トップパネルとボトムパネルとの間にブリスターパック及び電子固定ハブ部品を固定するために、トップパネルが実質的にボトムパネルを覆い、ボトムパネルに貼着され、密封単位用量が単位用量切り離し領域から突き出し、電子固定ハブ部品が電子固定ハブ部品切り離し領域から突き出す。
【０００７】
さらに、ブランクは、トップパネルとボトムパネルとの間の境界を定義する折り目を備え、折り目に沿ってブランクを折り畳むことにより、トップパネルの切り離し領域をボトムパネルの弱化領域と一直線とし、ボトムパネルを実質的に覆うように、トップパネルが位置決めされる。一対の付加的な折り目が備えられ、単位用量パッケージ挿入物が各折り目に沿ってそれ自身の上に折り畳まれる際に折り目間の空間がエンドパネルを定義する。
【０００８】
一実施形態においては、電子固定ハブ部品が二対の第１及び第２対向壁を有するハウジングを備える。一対の第１対向壁の一つの壁は、電子部品に取り付けられたタブを受け入れるように適用された壁の底部における少なくとも一つの開口を備える。一対の第１対向壁の対向壁は、電子固定ハブ部品内に電子部品の挿入及び除去を促進するための切り離し領域を備える。一対の第二対向壁の一つの壁は電子部品に取り付けられた対応逆戻り止めを受け入れるように適用された戻り止めを備え、戻り止め及び逆戻り止めが一列に並ぶ位置に電子部品が固定される。
る。
【０００９】
他の実施形態においては、電子固定ハブ部品は、各サイド部材が長さ方向に実質的に延在するありつぎスロットをそれぞれ有する一対の強固な対向サイド部材を備える。電気トレースエレメント端に電気的に連結する一つ以上の電気接点を有する強固なクロス部材もある。対応ありつぎスロットを有する電子部品は、電子固定ハブ部品に摺動可能に固定される。
【００１０】
他の実施形態においては、本発明は、単位用量の表現に関するデータを収集及び普及するために、取り替え可能な単位用量パッケージと電気的に連結される再利用可能な電子部品を含む。この際利用可能な電子部品は、電子固定ハブ部品、マイクロコントローラー、データを無線で送信及び受信するためにマイクロコントローラーに連結されたＲＦモジュール、取り替え可能な単位用量パッケージ上に存在する電気トレース部品に再利用可能な電子部品を電気的に連結するためにマイクロコントローラーに連結された電気トレース接点界面、及び、取り替え可能な単位用量パッケージから単位用量を排出されたことを検出するためにマイクロコントローラーに連結されたソフトウエアアプリケーションに適合するように適用された固定機構を備える。再利用可能な電子部品は、データを表示するためのディスプレイ、視覚的な状態表示を提供するためのインジケータライト、聴覚的な状態表示を提供するスピーカー、電子部品の内部電源を再充電するためのパワージャック、及び、有線データ出力機構を提供するためのデータポートをさらに備える。
【００１１】
本発明のさらなる他の実施形態においては、単位用量パッケージ挿入物を組み込む方法が含まれる。ブランクはトップパネル及びボトムパネルからなり、このトップパネル及びボトムパネルはブリスターパックを収容するために必要とされる１つ以上の折り目、切り離し及びミシン目を備え、電子固定ハブ部品が形成される。電気トレースは所望のパターンのブランクに適用され、各単位用量がそれに関する電気トレースの一部を有することを確実にする。ブリスターパックはブランクのボトムパネルに取り付けられ、各単位用量が実質的にミシン目領域上になる。電子固定ハブ部品もボトムパネルに取り付けられ、電気トレース終端が電子固定ハブ部品内の対応電気トレース接点に連結される。次いで、トップパネルはボトムパネルに取り付けられ、これにより単位用量パッケージ挿入物のトップパネルとボトムパネルとの間にブリスターパック及び電子固定ハブ部品を強固及び固定的に入れられる。電気トレースはブランク上に印刷された導電性インクからなる。
【００１２】
本発明の他の実施形態においては、単位用量パッケージシステムが含まれる。この単位用量パッケージシステムは、ボトムパネル及びトップパネルを有したブランクからなる摺動カード挿入物を備える。ボトムパネルはミシン目により輪郭が描かれた一つ以上の弱化領域を備える。さらにこのボトムパネルは、弱化領域から離間して配置された少なくとも第１及び第２端縁を有した電気トレースエレメントを備え、この電気トレースエレメントは１つ以上の弱化領域と交差し、弱化領域が損なわれた場合には電気トレースエレメントが弱化領域において破壊される。トップパネルは１つ以上の単位用量切り離し領域及び電子固定ハブ部品切り離し領域を備える。単位用量パッケージ挿入物はトップパネルの頂上に位置決め可能な密封された１つ以上の単位用量からなるブリスターパックも備え、単位用量が実質的に単位用量切り離し領域上になる。また、取り外し可能で再利用可能な電子部品を機械的に収容するよう適合された電子固定ハブ部品も含まれ、電子固定ハブ部品は電気トレースエレメント端の終端に近接して配置される。トップパネルとボトムパネルとの間でブリスターパック及び電子固定ハブ部品を固定するために、トップパネルは実質的にボトムパネルを覆い、ボトムパネルに貼着され、密封された単位用量が単位用量切り離し領域から突き出し、電子固定ハブ部品が電子固定ハブ部品切り離し領域から突き出す。さらに、単位用量パッケージシステムは、各単位用量と再利用可能な電子部品との間で完全な電気回路を作製するために、電子固定ハブ部品に機械的及び電気的に連結された再利用可能な電子部品を備える。摺動カード挿入物を収容するよう適合されたカバーが備えられ、摺動カード挿入物がカバー内でロック可能で摺動可能に係合される。
【先行技術文献】
【特許文献】
【００１３】
【特許文献１】米国特許第６，０４７，８２９号
【特許文献２】米国特許第６，４１２，６３６号
【図面の簡単な説明】
【００１４】
【図１】いたずら防止ボタン解除手段を有する内部摺動カードとアウタースリーブを備えた本発明の一実施形態の単位用量パッケージシステムである。
【００１５】
【図２】ａ及びｂは摺動カードの上面図である。
【００１６】
【図３】本発明の一実施形態の摺動カードと連結された解除可能に電子部品である。
【００１７】
【図４】図３に示された電子部品のブロックダイアグラム表示部品である。
【００１８】
【図５】電子固定ハブ及び電子部品の一実施形態である。
【００１９】
【図６】電子固定ハブ及び電子部品の他の一実施形態である。
【００２０】
【図７】本発明の一実施形態の完成摺動カードを備えた様々な層及び部品の拡大図である。
【００２１】
【図８】本発明の一実施形態の摺動カードの組立工程を記載したデータフローダイアグラムである。
【００２２】
【図９】固定ハブがパッケージ内に永久的に含まれない単位用量パッケージの第１実施形態の斜視図である。
【００２３】
【図１０】ａは一時的設置ハブを用いた単位用量パッケージへの電子部品の連結を示す、図９に示された実施形態の他の斜視図である。ｂは図１０ａに示された様式の一時的設置ハブを用いた単位用量パッケージのパネルへの電子部品の連結工程の部分的な側面概念図である。
【００２４】
【図１１】固定ハブを介して電子部品の取付用パネルに溝が設けられていない、図９に示された実施形態の変更例の斜視図である。
【００２５】
【図１２】ヒンジ摺動マウントを用いた単位用量パッケージへの電子部品の連結を示す、図１１に示された変更例の斜視図である。
【００２６】
【図１３】ａ及びｂはそれぞれ図９〜１２に示された実施形態に用いられたブリスターパックの正面、側面及び背面概念図である。
【００２７】
【図１４】固定ハブがパッケージ内に永久的に含まれない単位用量パッケージの第２実施形態の斜視図である。
【００２８】
【図１５】一時的設置ハブを用いた単位用量パッケージへの電子部品の連結を示す、図１４に示された実施形態の他の斜視図である。
【００２９】
【図１６】固定ハブを介して電子部品の取付用パネルに溝が設けられていない、図１４に示された実施形態の変更例の斜視図である。
【００３０】
【図１７】ヒンジ摺動マウントを用いた単位用量パッケージへの電子部品の連結を示す、図１６に示された変更例の斜視図である。
【００３１】
【図１８】固定ハブがパッケージ内に永久的に含まれない単位用量パッケージの第３実施形態の斜視図である。
【００３２】
【図１９】一時的設置ハブを用いた単位用量パッケージへの電子部品の連結を示す、図１８に示された実施形態の他の斜視図である。
【００３３】
【図２０】固定ハブを介して電子部品の取付用パネルに溝が設けられていない、図１８に示された実施形態の変更例の斜視図である。
【００３４】
【図２１】ヒンジ摺動マウントを用いた単位用量パッケージへの電子部品の連結を示す、図２０に示された変更例の斜視図である。
【発明を実施するための最良の形態】
【００３５】
図１を参照すると、単位用量パッケージの一実施形態には、解除可能かつロック可能にアウタースリーブ１０に係合された摺動カード２０が含まれている。アウタースリーブ１０は、サイドパネル１３及び１４により折り畳み自在に連結されたトップパネル１１及びボトムパネル１２と、パッケージの一端開口を塞ぐエンドパネル１５とからなる。
【００３６】
トップパネル１１には、従来技術により製造され、スリーブ基材中に一連の連結された切り込みにより形成された解除機構１６が含まれる。切り込み端縁は、アウタースリーブ１０の相互ロック機構３９を係合する摺動カード２０のロック機構３８を解除するために、トップパネル１１の下に位置する一層以上の基材上に圧力を掛けるように押圧される柔軟なタブを形成し、摺動カード２０と連携する一つ以上のブリスター２３を露出するのに十分な程度に摺動カード２０を引き出すことを可能としている。
【００３７】
トップパネル１１は、さらに、摺動カード２０の引き出しを確実にするための指を保持するノッチ１７を含む。ノッチ１７と同様なサイズを有する対応ノッチ（図示せず）は、ボトムパネルの端縁においてノッチ１７を相殺するように並行に配置されている。ノッチ１７との重複が不完全となるように、対向するサイドパネル上の対応ノッチは中央から外れて配置されるが、ノッチ１７はトップパネル１１の端縁の中央に近接して配置される。スリーブ１０の外端縁に沿ったこれらのノッチの位置及び互いの配置は、パッケージの全体サイズに応じて変更されてもよい。
【００３８】
摺動カード２０は、エンドパネル２２を形成し、追加のブリスターパッケージを用いることが可能な第２領域２１を定義するために、折り目に沿って折りたたむことができる。電子部品２５は電子固定ハブ部品２４内に固定される。電子固定ハブ部品２４内に固定された際の電子部品２５は、エンドパネル２２の高さに非常に近似した高さを有する。これにより、摺動カード２０がアウタースリーブ１０内に十分挿入された場合には、エンドパネル２２は折りたたまれなくなる。これは、パッケージにいたずら防止の付加的手段を提供する。また、対向するトップパネル及びボトムパネルを形成するために摺動カード２０が自身の上に折りたたまれた場合に、トップパネルが滑り出すのを妨げ、パッケージのいたずら防止態様をさらに促進するような構成で、トップパネル上の突出エレメント４５がボトムパネル上の電子部品２５／電子固定ハブ部品２４に近接するよう、突出エレメント４５が配置される。
【００３９】
図２ａ及びｂを参照すると、摺動カード２０は等しい大きさに見られる。ちょうど記載されているように、摺動カード２０は、一つ以上の電気トレース端（図示せず）に近接して配置され、電子部品２５の接点２８（例えば図５参照）を一つ以上の電気トレース端に操作的に連結する電子固定ハブ部品２４を含む。点線は、エンドパネル２２及びロック機構３８用の折り目を定義する。摺動カード２０が折りたたまれ、アウタースリーブ１０内に挿入された場合に、パッケージは、摺動可能及びロック可能に摺動カード２０をアウタースリーブ１０と連結し得るよう形成されるように、摺動カード２０はエンドパネル２２及びロック機構３８を形成する折り目に沿って折りたたまれる。なお、突出エレメントは図２ａ及びｂに示されていないが、もちろん存在し得る。
【００４０】
折り畳まれた場合、摺動カード２０は、それぞれブリスターパック２３を含み得る２つの対向したパネルを形成する。図２ａにおいては、電子固定ハブ部品２４は摺動カード２０の下パネル上に見られ、図２ｂにおいては、電子固定ハブ部品２４は摺動カード２０の上パネル上に見られる。このように、電子固定ハブ部品２４は摺動カード２０上に戦略的に配置され、この配置に限定されるものではない。
【００４１】
また、電子固定ハブ部品２４内には、一組の電気トレース接点３２が見られる。これらの接点は、ブリスターパック２３の各単位用量に対応する摺動カード上に予め印刷された対応する一組の電気トレース（図示せず）を終端する。電子固定ハブ部品２４内に操作的に電子部品２５が固定されると、対応する一組の接点２８（例えば図５の実施形態参照。）が電子回路を完成するトレース接点に操作的に係合する。電子固定ハブ部品２４内に電気トレース接点３２の配置及び数が所定の形態に最適化するよう選択的に設計される。
【００４２】
パッケージシステムの実用的使用において、単位用量の新たな摺動カード２０が収容されるごとに、ユーザーは電子部品２５を簡単に除去及び再使用する。さらなる利点としては、電子部品２５の高さは、固定された際に折りたたまれた摺動カードに対する付加的な構造的支持を追加する。
【００４３】
図３を参照すると、電子部品２５の一例の斜視図を示す。内部電気部品に加えて、電子部品２５には、一以上のディスプレイ５０、一組のＬＥＤライト５１，５２，５３、スピーカー５４、パワージャッキ５５及びデータポート５６が含まれる。電子部品２５のハードウェア及びソフトウェア特性に依存して、ディスプレイは、現在の日付／時間、最後に記録された服用の日付／時間及び次に予定された服用の日付／時間を示すために用いられる。この情報は、電子部品２５内でソフトウェアに無線又はデータポート５６を介して連結される装置によりユーザーによって予めプログラムされる。また、一つ以上のＬＥＤライト５１，５２，５３は次の単位用量の現在の状態を示すためにカラーコード化される。例えば、緑のＬＥＤ５１は投薬が現在行われていることをユーザーに示す。黄色のＬＥＤ５２は次に予定された服用時間まで一時間以内となったことをユーザーに示し、赤のＬＥＤ５３は次に予定された服用時間が経過したことをユーザーに示す。スピーカー５４は、ユーザーに聞き取り可能な表示を行うためにビープ音を発することができる。例えば、一回のビープ音は次に予定された服用時間が数分以内であることを示し、三回のビープ音は次に予定された服用時間が経過したことを示す。ビープ音は予め決められた周期で繰り返される。
【００４４】
電子部品２５は、取り外し可能又は再充電可能なバッテリにより電力供給される。再充電可能の際には、パワージャック５５内に電力ケーブルが挿入される場合に、パワージャック５５は内部バッテリを再充電する外部供給源としてもよい。データポートは、電子部品２５と他の装置との間でデータを有線で転送し得るデータケーブルを接続することができる。これは、無線転送機構に加えて又は代えて用いることができる。データポートは、例えばＵＳＢケーブルとしてもよく、また、他のデータフォーマットに適用してもよい。
【００４５】
図４を参照すると、電子部品２５の一例の内部部品のブロックダイアグラムを示す。マイクロコントローラー６０は残りの部品の活動を調整する。ピントレース接点界面６３は電子部品２５の残りと複数のブリスターパックとの間で個々に回路を完成するための機構を提供し、各ブリスターパックは個々に電気トレースに連携することができ、ブリスターパックの破壊によりブリスターパックと連携された電気トレースが破壊される。このような動作は、単位用量の排出を示す回路全体にわたって検出可能な電位の変化を生じる。上述したように、次いでユーザーによって単位用量が服用されるとの仮定がある。
【００４６】
さらに、電子部品２５は、１つ以上のＲＦモジュール６１及び連携アンテナ６２、１つ以上のバッテリー６４、ディスプレイ５０、スピーカー５４、ＬＥＤインジケーターライト５１〜５３、パワージャック５５、データポート５６、及び、連携メモリーを有するソフトウエアアプリケーション６５を備える。
【００４７】
ソフトウエアアプリケーション及び連携メモリ６５は、破壊ブリスターパッケージを検出するために、様々に対応するようにプログラムされる。この動作は、データとして記録され、日付／時間をスタンプされ、ＲＦモジュール６１上の無線転送に好適なメッセージフォーマットに保存される。ＲＦモジュール６１はＧＳＭやＣＤＭＡのようなセル方式のプロトコルを備え、又は、Ｂｌｕｅｔｏｏｔｈ、ＷｉＦＩやＷｉＭａｘのようなより近い範囲のコミュニケーションプロトコルに限定してもよい。データは、電子部品２５とＲＦモジュール６１及び適切な対応ネットワークを用いた１つ以上の外部装置との間で受信及び／又は送信される。あるいは、データは、ＵＳＢケーブル又は他の適切なケーブル／データフォーマットの組み合わせとすることができるデータポート５６を介して発信してもよい。
【００４８】
冒頭に記載されたように、マイクロコントローラー６０は、現在の日付／時間を知らせる時計エレメント、及び、投薬予定をプログラムされ、視覚的及び／又は聴覚的アラートを提供し、ＬＥＤインディケーター５１〜５３又はスピーカー５４を介してユーザーに気付かせるソフトウエアアプリケーション６５を備える。
【００４９】
図５は電子固定ハブ及び電子部品の一実施形態を示す。この例示においては、電子部品２５はややフック形状である１つ以上のタブ２６を備える。電子固定ハブ部品２４に機械的に連結された配置に保持するために、１つ以上の戻り止めが電子部品２５のいずれかの側面上に備えられる。また、一連の電気トレース接点２８も示されている。電子固定ハブ部品２４は、電子部品２５が電子固定ハブ部品２４に機械的に連結された場合に戻り止め２７に対応するように配置された対応する数の逆戻り止め３１を内面上に有するハウジング２９を備える。さらに、ハウジング２９は、電気トレース接点３２及び１つ以上のタブ２６を収容するよう適合された１つ以上の開口３０を備え、適切に操作された場合には、開口３０を通して取り付けられ、電子固定ハブ部品２４内に電子部品２５を固定する。これを達成するために、ハウジング２９は開口３０を設けた壁に対向するハウジング壁上に切り離し領域４０を備える。この切り離し領域４０により、電子固定ハブ部品２４内に挿入及び取り外す場合にユーザーがより容易に電子部品を把持することができる。
【００５０】
作動中においては、電子部品２５は傾斜され、タブ２６が電子固定ハブ部品２４の開口３０を通して取り付けられる。次いで、戻り止め２７及び逆戻り止め３１が互いに係合するまで、電子部品２５は旋回又は下方にロックされる。これは、接点２８及び接点３２を操作的で電気的に連結された関係とし、摺動カード２０上及び電子部品２５内で電気回路構成を完成させる。
【００５１】
上記された接点２８，３２、タブ２６、開口３０、切り離し領域４０及び戻り止め２７，３１の方向及び配置は選択的に設計してもよく、この形態に限定されるものではない。
【００５２】
図６は電子固定ハブ及び電子部品の他の一実施形態を示す。この実施形態においては、電子固定ハブ部品２４は端縁部材４３により連結された対向サイド部材４１，４２を有する強硬な部材３３を備える。サイド部材４１，４２は実質的にその長さ方向に延在するありつぎ３４スロットを備える。複数の電気トレース接点３５は端縁部材４３の内面上に配置される。
【００５３】
電子部品２５は対応ありつぎ３６パターン及び電気接点３７を有する部分を備え、対応ありつぎ部分を整列させることにより電子部品が電子固定ハブ部品２４内に摺動可能に挿入される。電子部品２５を電子固定ハブ部品２４内に完全に挿入させることにより、接点３５及び３７は電気的な連結関係で互いに接触する。
【００５４】
電子固定ハブ部品２４と電子部品２５との間の連結は、上記方法に加えて他の方法により形成してもよい。以下に記載の実施形態は図５及び６を参照して記載された形態限定されるものではない。
【００５５】
図７は本発明の一実施形態の摺動カードを備えた様々な層及び部品の拡大図である。摺動カード２０は個々の単位用量２３を含む１つ以上のブリスターパック７９を収容するよう設計された強化ブランクとして開始する。摺動カード２０は一般にボトムパネル７１及びトップパネル７２を備える。トップパネル７２は、ボトムパネル７１の上方で折り曲げられ、ボトムパネル７１の上部で貼着されるように設計される。また、トップパネル７２及びボトムパネル７１は互いに離間され、トップパネル７２が折り畳まれた位置よりもボトムパネル７１の上方に配置される。
【００５６】
ボトムパネルはミシン目７４により定義された弱化領域を備え、十分な下方への力によってミシン目領域が単位用量を通過させるボトムパネル７１内の開口から引きはがされる。電気インクトレースエレメント７３はボトムパネル７１に塗工され、各ミシン目領域が電気トレースエレメントの一部となる。電気トレースエレメント７３は電子固定ハブ部品２４の確保領域で終端する。また、いったんトップパネル７２がボトムパネル７１上に折りたたまれると、折り目７７によって摺動カードが他の空間に折りたたまれる。必要であれば、追加のトレース及びブリスターパックのためにパネル上に空間７８が確保される。
【００５７】
トップパネルはブリスターパック７９の個々の各単位容量２３のための第１切り離し領域７５を備える。第２切り離し領域７６は、いったん組み立てられると、電子固定ハブ部品２４が摺動カード２０から突き出すように設計される。第３切り離し領域４６は、いったん組み立てられると、突き出しエレメント４５が摺動カード２０から突き出すように設計される。
【００５８】
ロック機構３８は、いたずら防止機能を強化するために備えられる。このロック機構３８は、図１に示されたアウタースリーブ１０内にある第１逆留め金３９に係合するよう適合される。この摺動カードロック機構３８を解除するためには、ユーザーが図１に示された解除機構１６を押し下げる。
【００５９】
突き出しエレメント４５は、ユーザーが摺動カード２０のトップパネルを取り外そうとすると、電子固定ハブ部品２４及び電子部品２５に出くわすいたずら防止機能が強化される。突き出しエレメントが電子固定ハブ部品２４及び電子部品２５上に引き出されないため、この動作は妨げられる。
【００６０】
この電気トレース７３は、当業者に公知の様式で摺動カード２０上に直接塗工することができる。また、この電気トレース７３は、これに限定されるものではないが、スクリーン又はオフセット法のような従来の印刷又は平板印刷を用いて、摺動カード２０上に印刷することもできる。電気回路構成を形成するための印刷方法に用いられるインクは、個々の回路に要求される性能に基づいて選択される導電性インクである。導電性インクは、これに限定されるものではないが、典型的に銅や銀のような導電材料を含む。この電気トレース７３を形成するために用いられるインクは、当業者に既に理解されているカーボン系導電インクとすることができる。
【００６１】
電子部品２５は、複数の単位用量摺動カード挿入物に関して再利用可能となるように設計される。このように、実際の電子部品は本来単位用量摺動カード挿入物とともに輸送することはできない。むしろ、単位用量パッケージシステムを収容する場合には、ユーザーは電子固定ハブ部品２４内に電子部品２５を挿入する責任がある。しかしながら、電子部品２５自身がパッケージのいたずら防止態様の強化を促進するため、最初のパッケージは電子固定ハブ部品２４内にすでに固定されたダミー電子部品を備えることができる。ダミー電子部品を含む単位用量パッケージシステムをユーザーが受け取った場合には、ダミー電子部品を簡単に取り除き、現実の電子部品２５を挿入する。
【００６２】
図８は図７で示されたような本発明の一実施形態の摺動カードの組立工程を記載したデータフローダイアグラムである。これらの工程は経時順に行う必要はない。符号８１において、電気トレースはブランク上に所望のパターンで印刷され、関連する電気トレースの一部を各単位用量が有するのを確実にする。次に、符号８２において、ブリスターパック及び電子固定ハブ部品を収容することを要求された折り目、切り離し及びミシン目の全てを備えるようブランクが処理される。符号８３において、ブリスターパックはブランクのボトムパネルに貼着され、各単位用量が実質的にミシン目領域上となる。次いで、符号８４において、電子固定ハブ部品はボトムパネルに貼着され、印刷された導電性インクの電気トレース終端は電子固定ハブ部品内で対応電気トレース接点に連結される。その後、符号８５において、折り目にしたがってブランクが折りたたまれ、密封され、これにより、摺動カードのトップパネルとボトムパネルとの間にブリスターパック及び電子固定ハブ部品が堅固かつ固定的に収容される。
【００６３】
他の摺動カードの組立工程としては、トップパネル内の開口を通して突き出たブリスター空洞及び電気固定ハブ部品を備えたトップパネル上にブリスターパック及び電子固定ハブ部品を配置する。これらの部品はトップカードに貼着してもよい。ボトムパネルは折りたたまれ、全体構造が一度に密封される。
【００６４】
さらなる実施形態は単位用量パッケージ１００（図９〜１３）、２００（図１４〜１７）及び３００（図１８〜２１）として開示される。開示された単位用量パッケージ１００，２００及び３００は、明確に逆に示されたことを除いては、明確に逆に示されたことを除いては、構造及び機能が同様な類似の名前が付けられた部品である。さらに、単位用量パッケージ１００，２００及び３００は、他の上記実施形態に関する態様（例えばスリーブ及び／又はいたずら防止）を含んでもよく、このようなエレメントの組み合わせは本発明の目的の範囲内であると見なされる。
【００６５】
この開示された単位用量パッケージ１００はパネル部品１０２、ブリスターパック１０４及び電気トレースエレメント１０６を備えてもよい。この実施形態どおり、電気トレースエレメント１０６は、以下に詳述するようにブリスターパック１０４と特に関連している。
【００６６】
パネル部品１０２は、医薬品の単位用量が最終的に送り出される少なくとも第１（例えばボトム）パネル１０８を備えてもよく、また、さらに第２（例えばトップ）パネル１１０を備えてもよい。両者を用いた場合、トップパネル１１０は実質的にボトムパネル１０８を覆い、ボトムパネル１０８に（例えば粘着剤剤／接着又は中間テープを介して）貼着され、ブリスターパック１０４をその間に固定する。ボトムパネル１０８及びトップパネル１１０は離間していても、一体であってもよい。例えば、ボトムパネル１０８及びトップパネル１１０は、第１パネル折り目１１２により連結された一対の一体的なパネル部品１０２であってもよい。さらに、パネル部品１０２は、例えば、板紙、プラスチック等からなり、分離的に製造される場合には、ボトムパネル１０８及びトップパネル１１０は同じ材料で製造される必要はない。ワーレットカードの実施形態においては、ボトムパネル１０８は第１ボトムパネル部１０８ａ及び第２ボトムパネル部１０８ｂを定義し、同様に、トップパネル１１０は第１トップパネル部１１０ａ及び第２トップパネル部１１０ｂを定義する。ワーレット折り目１１３は、第１トップパネル部１１０ａと第２トップパネル部１１０ｂとを、さらに、第１ボトムパネル部１０８ａと第２ボトムパネル部１０８ｂとを一体的に連結する。このワーレット折り目１１３は、例えばワーレットカードにより搬送された単位用量を収容する幅を有する。全体として、このようなワーレットカード装置は、例えば、印刷される指示的及び／又は促進的情報用の付加的空間、及び／又は、これにより搬送された単位用量用のさらなる機械的保護を提供する。
【００６７】
ボトムパネル１０８及びトップパネル１１０は所定のブリスターパック１０４からの単位用量の送り出し（明確に図示せず）を容易にするよう設計される。一実施形態においては、ボトムパネル１０８は、単位用量が配送される位置で容易に打ち抜かれるようにするために、（例えば少なくとも一つの切り込み又はミシン目及び／又は薄化により定義された）パネルの少なくとも一つの弱化領域１１４を備える。対応する様式により、トップパネル１１０は、所定のブリスターパック１０４により送り出される突出単位用量をそこを通して収容するための、少なくとも一つの単位用量切り離し又は開口１１６を備える。パネルの弱化領域１１４及び単位用量切り離し１１６の数は、例えば所定の単位用量パッケージ１００が供給しようとする単位用量の数に一致するよう選択される。
【００６８】
図１３ａ〜ｃに最適な態様が示されたブリスターパック１０４は、ブリスター基材１３８及び少なくとも一つの単位用量部位１４０（すなわち所定の医薬品の単位用量パッケージのためのキャリア位置）を備える。さらに、図９〜１２の実施形態の一態様として、ブリスター基材１３８は電気トレースエレメント１０６のキャリアとして作用する。電気トレースエレメント１０６は少なくとも第１及び第２トレース端部１４２を定義する。この実施形態においては、そのトレース端部１４２を含む電気トレースエレメント１０６はブリスター基材１３８上に直接又は中間塗膜を介して蒸着又は塗工される。
【００６９】
単位用量パッケージの実施形態のそれぞれの場合のように、少なくとも第１及び第２トレース端部１４２は、少なくとも一つのパネルの弱化領域１１４から離間して延在し、（例えば図１０ａに示されたように）電子受容領域１１８に近接し、電子受容領域１１８を通して露出される。少なくとも第１及び第２トレース端部１４２のこのような配置により、電気トレースエレメント１０６と電子部品１２０とが連結される。さらに、電気トレースエレメント１０６がブリスター基材１３８の背面に形成される状況においては、ブリスター基材１３８とは異なるため、電気トレースエレメント１０６の表面を伝導体（例えば金属）とすべきではない。このように、ブリスター基材１３８は非導電材料（例えば板紙、プラスチック等）からなり、及び／又は、非導電性層を塗工し、これにより、電気トレースエレメント１０６が配置される非導電性表面が形成される。
【００７０】
単位用量切り離し１１６に加えて、パネル部品１０２に他の通過孔を設けてもよい。この実施形態においては、例えば電子受容領域１１８は開口の形態であってもよい。このような開口は切断され、打ち抜かれ又はその他のボトムパネル１０８を通して形成される。さらに、受容領域１１８は電子部品１２０を機械的に収容するよう適合されてもよく、特に電子部品１２０との電気的な連結のために電気トレースエレメント１０６を露出する形態としてもよい。
【００７１】
図１０ａ及びｂは密閉された装置内における単位用量パッケージ示す。単位用量パッケージ１００に電子部品１２０を取り付ける様式の一例は既に示されている。この例示はパネル部品１０２内において少なくとも一つの設置開口１２２を備える。例えば、少なくとも一つの設置開口１２２は、ボトムパネル１０８及びトップパネル１１０の両者を通して延在する、一対の対向したＣ字型スロットの形態とすることができる。図示された再利用可能バージョンの設置ハブ１２４は、ハブベース１２６、少なくとも一つのハブ突出部１２８、少なくとも一つのハブスロット１３０、並びに、電子部品１２０の対向側面からそれぞれ直接突出する少なくとも一つの延在突出部／タブ１３２及び少なくとも一つの戻り止め突出部／タブ１３４を備える、電子部品１２０及びパネル部品１０２に少なくとも一つの設置開口１２２を介して連結するよう適合される。各ハブ突出部１２８は、ハブベース１２６と本質的に垂直にハブベース１２６から直接延在する。ハブ突出部１２８の数は設置開口１２２の数と同等又は設置開口１２２の数より少なく、また、ハブ突出部１２８及び対応設置開口１２２の形態（例えば大きさ、形状、配置）は後者への前者の挿入（例えば摺動適合）を容易にするため、各ハブ突出部１２８は、取付工程の一部として対応設置開口１２２を通して収容される。設置開口１２２及び開示された他の実施形態のものに関する機械的配置許容誤差は、電子部品１２０とトレースエレメント１０６との間の連結を確実にするよう制御される。例えば、機械的配置許容誤差は０．５ｍｍに制御される。
【００７２】
さらに、各所定の延在タブ１３２は、安定的な連結を提供する各ハブスロット１３０を通して電子部品１２０と設置ハブ１２４との間に挿入される。一方、各戻り止めタブ１３４は、所定の延在タブ１３２よりも一般的に短く、表面を丸くされ及び／又は曲げられる。このような戻り止めタブ１３４の形態のため、所定の戻り止めタブ１３４は対応ハブスロット１３０内に既に音をたてて嵌め合わされる。所定の延在タブ１３２と対応ハブスロット１３０との間の連結に沿ったこれらの嵌合は、設置ハブ１２４を介した単位用量パッケージ１００への電子部品１２０の解除可能な安定した連結を可能とする。さらに、設置ハブ１２４がパネル部品１０２と予め組み立てられ又はパネル部品１０２内に組み込まれてもよいことが理解される。
【００７３】
図１０ａ及びｂの様式による単位用量パッケージ１００への電子部品１２０の取付工程は、例えば複数の工程を通して達成される。各ハブ突出部１２８はまず対応設置開口１２２を通してハブベース１２６がパネル部品１０２に接する点に挿入される。このような配置によれば、電子部品１２０に連携する少なくとも一つの延在タブ１３２は各ハブスロット１３０に直角に差し込まれる。そのうえ、電子部品１２０は、少なくとも一つの戻り止めタブ１３４の位置が各ハブスロット１３０内にロックされるまで、そのフリー／非連結サイド（図１０ｂ参照）に対して下方に旋回される。
【００７４】
単位用量パッケージ１００への電子部品１２０の他の有望な取付手段は図１１及び１２に示された変更例に示される。この変更例によれば、例えば、パネル部品１０２に電子部品１２０を連結するために摺動クリップ１３６が用いられる。摺動クリップ１３６は旋回可能なコネクター（例えばスプリング式ピボット）として示されているが、例えば鉛筆／ペンに用いられたペーパークリップ又はスプリングクリップに類似な単純な摺動クリップ構成としてもよい。電子部品１２０と電気トレースエレメント１０６との間の調和した電気的連結を確実にするために、摺動クリップ１３６はその間で十分な力を発生でき、又は、このような力は他の手段（例えば粘着剤又は機械的コネクタ）を介して提供される必要がある。摺動クリップ１３６を用いた副産物としては、図１１に示されるように、設置開口１２２はパネル部品１０２に必要ない。
【００７５】
単位用量パッケージ１００への電子部品１２０のさらなる他の有望な取付手段は可能である。図９、１０ａ及びｂに示された変更例により広く示唆されているように、電子部品１２０及びパネル部品１０２の一つが第１整列機構を提供し、その他が第２協働整列機構をを提供する。例えば、第１整列機構は突出部／タブ／突起とすることができ、その他は対応スロットを提供する。さらなる可能性としては、第１及び第２整列機構はホックとループとの組み合わせ（例えばマジックテープ（登録商標））又は音をたてて嵌め合わさせる種類の組み合わせとすることができる。所定の整列機構が所望の結果を生み出せさえすれば、第１及び／又は第２整列機構は電子部品１２０及び／又はパネル部品１０２の一体的な部分である必要はない。一時的な設置ハブ１２４は一体的でない整列機構の一例である。
【００７６】
開示された単位用量パッケージ２００はパネル部品２０２、ブリスターパック２０４及び電気トレースエレメント２０６を備える。単位用量パッケージ１００及び２００の間の主な相異は、電気トレースエレメント２０６が単位用量パッケージ２００内に含まれる様式である。特に、単位用量パッケージ２００に関する実施形態においては、電気トレースエレメント２０６は分離的（例えばブリスターパック２０４上に配置されない）に搬送される。他の態様は単位用量パッケージ１００に関するものと類似であるため、開示された単位用量パッケージ２００の記載は電気トレースエレメント２０６の設置／配置及びこのような配置に関する変更についての詳細に焦点を合わせている。
【００７７】
単位用量パッケージ１００と異なる単位用量パッケージ２００の態様は図１４及び１６に最適なものが示されている。ブリスターパック２０４上への潜在的な搬送の代わりに、電気トレースエレメント１０６は、配置され、結線され、その他にトレースエレメントキャリア２０８に含まれる。このトレースエレメントキャリア２０８は、電気トレースエレメント１０６が提供される非導電性表面、又は、電気トレースエレメント２０６の部分が互いに電気的に分離される他の機構（例えば絶縁塗膜）を有する。
【００７８】
例えば、トレースエレメントキャリア２０８は粘着テープ（例えば片面又は両面）、板紙、プラスチック、他の絶縁基材、又は絶縁塗装金属箔としてもよい。また、基材の材料は、電気トレースエレメント２０６の部分が互いに電気的に分離されてさえいれば（例えば選択的塗工）、特に限定される必要はない。トレースエレメントキャリア２０８用の粘着テープの潜在的な使用により示唆されているように、トレースエレメントキャリア２０８の所望の部分を確実にし、これにより、パネル部品２０２及び／又はブリスターパック２０４に対する電気トレースエレメント２０６を確実にするために、様々な粘着剤及び／又は機械的締結手段を当業者が選択的に使用してもよいことが理解される。また、所望の電気トレースエレメント２０６と同様に、製造に耐え、医薬品の偶発的なばらつきを防ぎ、及び／又は、潜在的に折りたたまれる（図１５，１７による）のに十分強力であるにもかかわらず、単位用量パッケージ２００から所望の単位用量を容易に送り出すような様式で、トレースエレメントキャリア２０８が構成されてもよい（例えば材料、厚さ等）ことが理解される。
【００７９】
パネル部品２０２は、所定の単位用量が最終的に送り出される少なくとも一つの第１／ボトムパネル２１０及び任意に第２／トップパネル２１２を備える。両者が用いられる場合には、示された（図１４〜１７）場合のように、トップパネル２１２は実質的にボトムパネル２１０上を覆い、（例えば粘着剤／接着剤又は中間テープを介して）ボトムパネル２１０に貼着され、それらの間でブリスターパック２０４を固定する。ボトムパネル２１０は、単位用量が配送される位置で容易に打ち抜かれるようにするために、（例えばミシン目又は薄化により定義された）少なくとも一つの弱化領域２１４を備える。対応する様式により、トップパネル２１２は、所定のブリスターパック２０４により送り出される突出単位用量をそこを通して収容するための、少なくとも一つの単位用量切り離し又は開口２１６を備える。医薬品を迅速に配達できるように少なくとも一つのパネルの弱化領域２１４に対して電気トレースエレメント２０６を位置決めする様式で、トレースエレメントキャリア２０８がボトムパネル２１０とブリスターパック２０４との間に配置される。すなわち、医薬品の所定の用量（特に図示せず）が単位用量パッケージ２００から送り出されると、パネルの個々の弱化領域２１４に沿って、電気トレースエレメント２０６及びトレースエレメントキャリア２０８の対応領域が破壊される。
【００８０】
電子受容領域／開口２１８は、電子／電子部品２２０を機械的に受け取り得るようにボトムパネル２１０を通して形成される。図９、１０ａ及びｂに示されたものとかなり類似な様式で、パネル部品２０２内の少なくとも一つの設置開口２２２、分離設置ハブ２２４、示された再利用可能な形態を用いた、電子部品２２０を収容する潜在的な一様式が図１４及び１５に示される。図１１及び１２のものと類似する他の変更例が図１６及び１７に示され、パネル部品２０２上の位置に電子部品２２０を保持するために摺動クリップ２２６が用いられる。しかしながら、上述されたもののような単位用量パッケージ１００を備えた他の機構が電子部品２２０を設置するために用いられる。例えば、トレースエレメントキャリア２０８は、それと予め組み立てられ及び／又はそれに組み込まれた設置ハブ２２４を備える。設置ハブ２２４及び電子部品２２０、例えばピン−ソケット又はＵＳＢタイプに関して、ハブ−電子部品連結として知られた他のものが用いられる。用いられる特別なタイプの連結は予期された使用数に基づいて部分的に選択される（すなわちあるタイプのコネクターは変化の間に接点を保護することができる）。
【００８１】
特に、電気トレースエレメント２０６は電子受容領域２１８を介して露出される少なくとも第１及び第２トレース端部２２８を備え、このような少なくとも第１及び第２トレース端部２２８は固定された電子部品２２０との電気的連結を形成する。このような配置が所定の電子部品２２０との連結を促進しさえすれば、このトレース端部２２８は潜在的にトレースエレメントキャリア２０８上のどこにでも配置されてもよい。さらに、このトレース端部２２８は、例えば、単位用量パッケージ２００の使用の通常の過程において破損を行う電気トレースエレメント２０６のいずれの領域からも離間される。
【００８２】
最終的に、単位用量パッケージ２００については、例えば、ブリスターパック２０４は、ブリスター基材２３０及び少なくとも一つの用量サイト２３２（すなわち所定の単位用量の医薬品を貯蔵／搬送する場所）を備える。単位用量パッケージ１００の場合どおりブリスターパック２０４が電気トレースエレメント２０６を搬送する必要ないことから、当該技術分野で公知のブリスターパック構成は潜在的に本実施形態の一部として用いられる。
【００８３】
開示された単位用量パッケージ３００（図１８〜２１）は、例えばパネル部品３０２、ブリスターパック３０４及び電気トレースエレメント３０６を備える。開示された単位用量パッケージ３００と他の二つの単位用量パッケージ１００及び２００との間の主な相違は、電気トレースエレメント３０６が単位用量パッケージ３００内に含まれる様式である。特に、単位用量パッケージ３００に関する実施形態においては、電気トレースエレメント２０６はパネル部品３０２上に搬送（例えば塗工又は蒸着）される。残りの態様が単位用量パッケージ１００，２００に関するものに類似するため、開示された単位用量パッケージ３００の記載は電気トレースエレメント３０６の固定／配置及びこのような配置に関する変更に関する詳細に焦点を合わせている。
【００８４】
単位用量パッケージ１００，２００と相違する単位用量パッケージ３００の態様は図１８及び２０に最適なものが示される。ブリスターパック３０４又は分離エレメント（例えばトレースエレメントキャリア）上に潜在的に搬送される代わりに、電気トレースエレメント３０６がパネル部品３０２内及び／又は上に蒸着、結線、塗工又は含有される。特に、パネル部品３０２は単位用量が最終的に運び出される少なくとも第１／ボトムパネル３０８及び任意に第２／トップパネル３１０を備える。この実施形態においては、電気トレースエレメント３０６はボトムパネル３０８上に蒸着される。
【００８５】
示された場合（図１８〜２１）のように両パネル３０８，３１０が用いられる場合には、トップパネル３１０がボトムパネル３０８を実質的に覆い、ボトムパネル３０８に（例えば粘着剤／接着剤又は中間テープを介して）貼着され、ブリスターパック３０４がその間に固定される。ボトムパネル３０８は、単位用量の配送のためのこのような位置での容易な打ち抜きを改善するために、少なくとも一つのパネルの弱化領域３１２（例えばミシン目又は薄化により定義される）を設ける。対応様式においては、トップパネル３１０は、所定のブリスターパック３０４により搬送された突出単位用量をそこを通して収容するために、少なくとも一つの単位用量切り離し又は開口３１４を備える。電気トレースエレメント３０６は、少なくとも一つのパネルの弱化領域３１２に対して位置決めされ、医薬品の所定の単位用量（特に図示せず）が単位用量パッケージ３００の外部に搬出されると、電気トレースエレメント３０６の所定の部分が各パネルの弱化領域３１２に沿って破壊される。
【００８６】
電子受容領域／開口３１６は、例えば電子／電子部品３１８を機械的に収容するボトムパネル３０８を通して形成される。図９、１０ａ及びｂに示されたものと極めて類似な様式においては、パネル部品３０２及び分離一時的固定ハブ３２２内の少なくとも一つの設置開口３２０を用いた、電子部品３１８を収容する一つの潜在的な様式が図１４及び１５に示される。摺動クリップ３２４がパネル部品２０２上の電子部品２２０の位置を保持するために用いられた、図１１及び１２の実施形態に類似する他の変更例が図１６及び１７に示される。しかしながら、単位用量パッケージ１００についての上述のような他の機構は電子部品３１８を設置し配列させるために用いられる。
【００８７】
さらに、電気トレースエレメント３０６は電子受容領域３１６を介して露出される少なくとも第１及び第２トレース端部３２６を備え、このような少なくとも第１及び第２トレース端部３２６は設置された電子部品３１８への電気的連結を形成する。このようなトレース端部３２６は、このような配置が所定の電子部品３１８との連結を改善しさえすれば、ボトムパネル３０８上のいずれでも潜在的に配置される。さらに、このようなトレース端部３２６は、例えば、単位用量３００の使用の通常の過程において破損を行う電気トレースエレメント３０６のいずれの領域からも離間される。さらには、例えば、トレース端部３２６は電気トレースエレメント３０６の主要部とはボトムパネル３０８の反対側の半分（ラベルせず）上に配置され、挿入又は摺動カードの１ページが電子部品３１８への連結に専念され、他の１ページ以上が単位用量の分散に用いられることが理解される。
【００８８】
さらに、単位用量パッケージ３００に関しては、例えばブリスターパック３０４はブリスター基材３２８及び少なくとも一つの用量サイト３３０（すなわち所定の単位用量の医薬品が貯蔵／搬送される位置）を備える。ブリスターパック３０４は単位用量パッケージ１００の場合のように電気トレースエレメント３０６を搬送する必要がなく、当該技術分野で公知のいずれのブリスターパック構成でも本実施形態の一部として潜在的に用いられる。
【００８９】
開示された単位用量パッケージ１００，２００，３００に関する他の実施形態及び変更例は可能である。実用的な一例としては、数ページ／シートの単位用量が提供される。また、このような各単位用量パッケージ１００，２００，３００は無類のパッケージ（例えばワーレットディスペンサー）として又は本出願の他の部分で開示された様式により摺動可能な挿入物（例えばスリーブへの挿入可能）として用いられることが理解される。またさらに、組み合わせがトレース端部と電子部品との連結を許容しさえすれば、当業者は、トップ及びボトムパネルの対向する一つにトレース端部を延在し、及び／又は、電子受容領域の位置を再配置するよう選択することができる。よりわかりやすくすると、電気トレースエレメント及び／又はそのトレース端部がトップパネルに関するものであってもよく、また、電子受容切り離しがボトムパネル内に形成されてもよい。
【００９０】
本発明には、ここに詳細に開示されていないが、当業者により認識される多くの他の実施形態が含まれる。したがって、本発明は、前記例示のみに又は明示された好適な実施形態のみに限定されると読むべきではない。
【図１】
2011514294.tif 000003
【図２】
2011514294.tif 000004
【図３】
2011514294.tif 000005
【図４】
2011514294.tif 000006
【図５】
2011514294.tif 000007
【図６】
2011514294.tif 000008
【図７】
2011514294.tif 000009
【図８】
2011514294.tif 000010
【図９】
2011514294.tif 000011
【図１０】
2011514294.tif 000012
【図１１】
2011514294.tif 000013
【図１２】
2011514294.tif 000014
【図１３】
2011514294.tif 000015
【図１４】
2011514294.tif 000016
【図１５】
2011514294.tif 000017
【図１６】
2011514294.tif 000018
【図１７】
2011514294.tif 000019
【図１８】
2011514294.tif 000020
【図１９】
2011514294.tif 000021
【図２０】
2011514294.tif 000022
【図２１】
2011514294.tif 000023
【国際調査報告】
2011514294.tif 000024
2011514294.tif 000025